(57)【特許請求の範囲】
【請求項１】
固定対象の物体の背面を支持するための支持台部と、支持台部に対して起立する姿勢で配備されると共に弾性変形が可能な支持壁部と、この支持壁部の壁面に一体かつ突出して、並べて配備された案内部および突き当て部とを具備し、
前記案内部は、前記支持台部へと向かう物体に押圧されて支持壁部本体と共に当該物体とは反対の方向に変形しながら当該物体を支持台部へと導き、かつ、前記支持台部へ移動中の物体に接する箇所の少なくとも一部に連なって支持台部の方を向く開放端面を有し、
前記突き当て部は、案内部を介して支持台部へと移動した前記物体の前面側の端縁部に当接すると共に、前記支持壁部本体に対して案内部と同じ方向に突出するように支持壁部本体または案内部に一体に設けられ、かつ、当該突き当て部の前記物体に当接する箇所に、支持台部に近づくにつれて支持壁部本体からの突出幅が小さくなるように傾斜する突き当て面が配備されて成り、前記突き当て面の突出は、前記開放端面より前記支持台部寄りにある位置から開始される、ことを特徴とする物体の固定構造。
【請求項２】
前記支持壁部は前面が開口されたケース体の周壁部であって、その周壁部に開口部から所定距離離れて開口縁に沿うスリット孔が形成され、このスリット孔の後端縁の厚みに沿って前記支持台部が設けられると共に、前記周壁部のスリット孔と開口部との間の内壁面に１組以上の案内部および突き当て部が設けられる、請求項１に記載された物体の固定構造。
【請求項３】
前記ケース体の周壁部の少なくとも２箇所に前記スリット孔が形成され、スリット孔毎に、前記周壁部の当該スリット孔と開口部との間の内壁面に前記案内部および突き当て部が１組以上設けられる、請求項２に記載された物体の固定構造。
【請求項４】
前記支持壁部は、所定広さの支持面を有する柱体または壁体であって、その支持面に支持台部および案内部ならびに突き当て部がそれぞれ一体に設けられる、請求項１に記載された物体の固定構造。
【請求項５】
前記案内部の前記物体に接する箇所には、前記支持台部に近づくにつれて支持壁部の本体に対する突出幅が増すように傾斜する斜面が含まれる、請求項１〜４のいずれかに記載された物体の固定構造。
【請求項６】
前面が開口されたケース体と、このケース体の前面の開口部から挿入されてケース体の内部に固定されるレンズ部材とを有する光学装置であって、
前記ケース体には、その周壁部の厚み方向に沿って支持台部が設けられると共に、前記周壁部の支持台部より前方の少なくとも２箇所に、周壁部の内壁面に一体かつ突出して、レンズ部材が支持台部へと向かう方向に沿って並べて配備された案内部および突き当て部とを具備し、
前記案内部は、前記開口部から挿入されたレンズ部材に押圧されて周壁部本体と共に当該レンズ部材とは反対の方向に変形しながら当該レンズ部材を支持台部へと導き、かつ、前記開口部から挿入されて支持台部へ移動中のレンズ部材に接する箇所の少なくとも一部に連なって支持台部の方を向く開放端面を有し、
前記突き当て部は、案内部を介して支持台部へと移動したレンズ部材の前面側の端縁部に当接すると共に、前記周壁部本体に対して内側方向に突出するように周壁部本体または案内部に一体に設けられ、かつ、当該突き当て部の前記レンズ部材に当接する箇所に、支持台部に近づくにつれて周壁部本体からの突出幅が小さくなるように傾斜する突き当て面が配備されて成り、前記突き当て面の突出は、前記開放端面より前記支持台部寄りにある位置から開始される、ことを特徴とする光学装置。
【請求項７】
前記ケース体の周壁部の少なくとも２箇所に、それぞれ前面の開口部から所定距離離れて開口縁に沿うスリット孔が形成され、各スリット孔の後端縁の厚みに沿って前記支持台部が設けられると共に、スリット孔毎に、前記周壁部の当該スリット孔と開口部との間の内壁面に前記案内部および突き当て部が１組以上設けられる、請求項６に記載された光学装置。
【発明の詳細な説明】
【技術分野】
【０００１】
本発明は、ケース体の内部に所定の物体を装着されるために用いられるスナップフィット方式の固定構造、およびこの固定構造が適用された光学装置に関する。
【背景技術】
【０００２】
スナップフィット方式とは、弾性力を有する材料により形成された係止部材を固定対象の物体による押圧力により変形させ、押圧力が解除されたときの係止部材の復元力によって物体を押さえつけて支持する方式である。接着剤や工具などを使用することなく、簡単な作業で固定を完了することができることから、広く採用されている固定方式である。
【０００３】
たとえば、光学レンズのように端縁部で支持する必要がある物体を固定する場合には、一般に、図１０に示すように、２つの部材の間に物体の端縁部を入れ込んで支持する方法が採用される。
【０００４】
図１０の例では、前面が開口されたケース体の開口部５０１から固定対象の物体Ｂを挿入して、当該物体Ｂをケース体内の所定の高さ位置で固定する。この固定のために、ケース体の周壁部５００の内壁面の複数箇所に、壁部の厚みに沿って突出する支持台部５０２が設けられると共に、各支持台部５０２の前方にそれぞれ所定の距離を隔てて係止部５０３が対向配備される。周壁部５００は、支持台部５０２や係止部５０３と共に、弾性を有する材料により一体成形される。また係止部５０３は、開口部５０１から遠ざかるにつれて突出幅が大きくなるように形成されている。なお、支持台部５０２や係止部５０３は、周壁部５００の全周にわたって設けられる場合もある。
【０００５】
上記の係止部５０３は、開口部５０１から挿入された物体Ｂにより外側に押圧されて、周壁部５００の本体と共に外側に変形しながら物体Ｂを支持台部５０２へと導く。係止部５０３の突出幅の変化によって、物体Ｂが支持台部５０２に近づくにつれて周壁部５００の変位量が大きくなるので、物体Ｂと係止部５０３との接触が解除される直前には、係止部５０３より下方の壁面と物体Ｂとの間に大きな隙間が生じる。
【０００６】
物体Ｂと係止部５０３との接触が解除されると、周壁部５００は速やかに元の状態に戻って、物体Ｂの背面が支持台部５０２に支持されると共に、その前面の前方に係止部５０３が位置する状態になる。この例では、支持台部５０２と係止部５０３との間の空間に若干の余裕が設けられているので、変形した周壁部５００が元に戻る際に大きな振動が発生して、物体Ｂに強くぶつかるなどして、「パチッ」という音が発生する。
よって、作業者は、振動や音が生じたことをもって、物体Ｂの固定が完了したと認識し、作業を終了することができる。
【０００７】
上記の例に類似する固定構造により光学式レンズを固定することが開示された先行技術文献として、たとえば、特許文献１がある。この特許文献１には、レンズ収納部の底部の端縁に段差を設けることによりレンズ体の支持部を形成すると共に、前面の開口部の近傍に可撓性を有するスナップフィット部を設け、支持部とスナップフィット部との間にレンズ本体の端縁部（フランジ部）を挟み込んで固定することが記載されている（段落００９２〜０１０３，図６，図７等を参照。）。
【０００８】
また、特許文献２には、レンズを保持するレンズ枠の後端縁に、レンズの径方向に沿って弾性変形可能な凸部や光軸方向に沿って弾性変形可能なバネ部（突起）を形成し、このレンズ枠をレンズ鏡筒の固定筒に挿入すると、固定筒の内周部に形成された段部にバネ部が当接すると共に、固定筒の内周面に形成された凹部に凸部が嵌入されて、レンズ枠が固定されることが記載されている。さらに特許文献２には、凹部への凸部の嵌入時に音が鳴ることによって嵌入が完了したことを確認できることや、光軸方向に沿って変形可能なバネ部の作用によって、レンズ枠の光軸方向のガタが取り除かれることが記載されている（段落００２０〜００３１，図２等を参照。）。
【先行技術文献】
【特許文献】
【０００９】
【特許文献１】特開２００１−２４０１６７号公報
【特許文献２】特開２００１−９１８１０号公報
【発明の概要】
【発明が解決しようとする課題】
【００１０】
図１０に例示した固定構造によれば、作業者は、固定対象の物体Ｂを開口部５０１から挿入して押圧するという簡単な作業により、物体Ｂを取り付けることができる。また物体Ｂと係止部５０３との接触が解除されて周壁部５００や係止部５０３が元の位置に復元するときに生じる振動や音を目安として、取り付け作業を終了することができるので、取り付けが不完全になるのを防ぐことができる。
【００１１】
しかしながら、上記の固定構造では、振動や音を生じさせる隙間を確保するために、支持台部５０２と係止部５０３との間の距離を物体Ｂの厚みより大きくしているので、物体Ｂは両者の間でガタついた状態になり、完全な固定ができない。このため、精度の良い位置決めが必要な場合には、この固定構造を適用するのは困難である。
【００１２】
図１１は、物体の位置決めを重視して、図１０の固定構造を改良した例を示す。この例では、係止部５０３の後端部に支持台部５０２に近づくにつれて物体Ｂから離れる方向に傾斜する斜面５０４を形成すると共に、物体Ｂの前面側の端縁部を斜めに切り欠いている。また支持台部５０２と係合部５０３との間の距離も図１０の例より縮められて、物体Ｂが支持台部５０２に支持されたときに、係止部５０３の斜面５０４が物体Ｂの切り欠き面に当接する状態になる。
【００１３】
上記の構成によれば、物体Ｂは、支持台部５０２と係止部５０３との間に挟み込まれて固定されるので、ガタを生じさせることなく、物体Ｂを安定して支持することができる。しかし、この構成では、係止部５０３を通過し終える前後の物体Ｂと斜面５０４との間の隙間が殆どない状態になるので、係止部５０３や周壁部５００の復帰時の力が弱く、振動や音が発生しにくい。そのため、作業者は、固定が完了したことを認識しづらくなり、固定が不完全なまま作業を終了してしまうおそれがある。
【００１４】
上記の問題に関して、特許文献２に記載された発明では、取り付け終了を示す音を発生させると共に、光軸方向（固定対象の物体の移動方向）に変形可能なバネ部によって、物体のガタつきを取り除くことができるとしている。しかし、特許文献２に開示されている固定構造では、物体の後端縁に形成された微小なバネ部８２が固定筒の内周部の微小な段部（突出部）８６に当接するように両者を位置合わせする必要があると思われ（特許文献２の段落００２７，図２を参照。）、作業者の負荷が大きくなる。また構成も複雑である。また作業者が未熟であると、この当接が不完全なまま、作業を進めてしまい、その結果、固定が不完全になるおそれもある。
【００１５】
本発明は上記の問題に着目し、簡単な作業で物体を安定して固定することができ、固定が完了したことを振動や音により容易に判別できるようにすることを、課題とする。
さらに本発明は、簡易な構造で物体をガタつきのない状態で固定できるようにすることを、第２の課題とする。
【課題を解決するための手段】
【００１６】
本発明による物体の固定構造は、固定対象の物体の背面を支持するための支持台部と、支持台部に対して起立する姿勢で配備されると共に弾性変形が可能な支持壁部と、この支持壁部の壁面に一体かつ突出して配備され、支持台部へと向かう物体に押圧されて支持壁部本体と共に当該物体とは反対の方向に変形しながら当該物体を支持台部へと導く案内部と、案内部を介して支持台部へと移動した物体の前面側の端縁部に当接する突き当て部とを具備する。
案内部は、支持台部へ移動中の物体に接する箇所の少なくとも一部に連なって支持台部の方を向く開放端面とを有する。突き当て部は、支持壁部本体に対して案内部と同じ方向に突出するように支持壁部本体または案内部に一体に設けられると共に、当該突き当て部の物体に当接する箇所に、支持台部に近づくにつれて支持壁部本体からの突出幅が小さくなるように傾斜する突き当て面が配備される。
【００１７】
たとえば、上記構成の固定構造の支持壁部により物体が通過する通路を形成すると、案内部が突出する箇所で通路が狭くなって、物体の移動が妨げられる。しかし、案内部の手前側から支持台部の方に向かう押圧力を物体にかけると、その物体に押圧された案内部が弾性体本体と共に変形して通路が広がり、物体を支持台部に向かって移動させることが可能になる。本発明では、案内部の少なくとも一部が支持台部の方に向けて開放されると共に、突き当て部の物体に当接する箇所に、支持台部に近づくにつれて突出幅が小さくなるように傾斜する突き当て面が配備されているので、物体が案内部を通過し終える直前の物体と突き当て面との間に隙間が生じる。しかも、支持壁部本体の変形に応じて突き当て面も外方向に変位するので、上記の隙間を広げることができる。
【００１８】
この隙間の存在によって、物体と案内部との接触が解除された際の支持壁部が勢いよく動くので、突き当て部を強い力で物体に突き当てて、突き当て面と支持台部との間に物体の端縁部を挟み込んで当該物体を固定することができる。これにより、支持壁部や物体に振動が生じると共に、「パチッ」という音を発生させることができる。
【００１９】
上記の固定構造の一実施形態では、支持壁部が前面が開口されたケース体の周壁部となり、その周壁部に開口部から所定距離離れて開口縁に沿うスリット孔が形成される。このスリット孔の後端縁の厚みに沿って支持台部が設けられると共に、周壁部のスリット孔と開口部との間の内壁面に１組以上の案内部および突き当て部が設けられる。この構成によれば、周壁部のスリット孔と開口部との間の部位を弾性力が強いバネ部として機能させることができるので、物体の押圧力による変形量を十分に高めて、突き当て面と物体の間の隙間を大きくすることができる。
【００２０】
また上記の実施形態において、開口部を塞ぐ大きさの物体を取り付ける場合には、ケース体の周壁部の少なくとも２箇所に上記のスリット孔を形成し、スリット孔毎に、周壁部の当該スリット孔と開口部との間の内壁面に、案内部および突き当て部を１組以上設けることができる。このようにすれば、物体の端縁部の複数箇所を固定することができ、物体を安定した姿勢で支持することが可能になる。
【００２１】
他の実施形態による固定構造では、支持壁部は、所定広さの支持面を有する柱体または壁体であって、その支持面に支持台部および案内部ならびに突き当て部がそれぞれ一体に設けられる。この構成でも、物体の移動通路を構成する柱体または壁体を通路の外方向に変形させながら物体を支持台部に導き、支持台部と突き当て面との間に物体の端縁部を挟み込んで固定することができる。
【００２２】
さらに他の実施形態による固定構造では、案内部の物体に接する箇所に、支持台部に近づくにつれて支持壁部の本体に対する突出幅が増すように傾斜する斜面が含まれる。
この構成によれば、物体が移動するにつれて支持壁部の変形量を大きくすることができるので、案内部との接触が解除される直前の物体と突き当て面との間の隙間を十分に大きくすることができる。よって、振動や音を発生しやすくすることができる。
【００２３】
本発明にかかる光学装置は、前面が開口されたケース体と、このケース体の前面の開口部から挿入されてケース体の内部に固定されるレンズ部材とを有する。ケース体には、その周壁部の厚み方向に沿って支持台部が設けられると共に、周壁部の支持台部より前方の少なくとも２箇所に、周壁部の内壁面に一体かつ突出して配備され、開口部から挿入されたレンズ部材に押圧されて周壁部本体と共に当該レンズ部材とは反対の方向に変形しながら当該レンズ部材を支持台部へと導く案内部と、案内部を介して支持台部へと移動したレンズ部材の前面側の端縁部に当接する突き当て部とが設けられる。
案内部は、開口部から挿入されて支持台部へ移動中のレンズ部材に接する箇所の少なくとも一部に連なって支持台部の方を向く開放端面とを有する。突き当て部は、周壁部本体に対して内側方向に突出するように周壁部本体または案内部に一体に設けられると共に、当該突き当て部のレンズ部材に接する箇所に、支持台部に近づくにつれて周壁部本体からの突出幅が小さくなるように傾斜する突き当て面が配備される。
【００２４】
上記の構成によれば、ケース体の周壁部の内壁面の複数箇所で、先に述べた固定構造によりレンズ部材の端縁が固定されるので、レンズ部材を容易にかつ正しく固定することが可能になる。
【００２５】
上記の光学装置の一実施形態では、ケース体の周壁部の少なくとも２箇所に、それぞれ前面の開口部から所定距離離れて開口縁に沿うスリット孔が形成され、各スリット孔の後端縁の厚みに沿って支持台部が設けられる。また、スリット孔毎に、周壁部の当該スリット孔と開口部との間の内壁面に案内部および突き当て部が１組以上設けられる。
【００２６】
上記の構成によれば、各スリット孔と開口部との間の部位を、弾性力の高いバネ部として機能させることができるので、レンズ部材の挿入に応じて各バネ部を十分に変形させて突き当て面とレンズ部材との間の隙間を広げることができる。よって、レンズ部材と係止部との接触が解除されたときに、振動や音が発生しやすくなる。また、レンズ部材に対して開口部を若干小さめに設定すれば、バネ部の付勢力よりレンズ部材をより安定して支持することが可能になる。
【発明の効果】
【００２７】
本発明によれば、固定対象の物体を挿入して、「パチッ」という音がするまで押し込むことにより、物体を正しく固定することが可能になるので、固定作業が容易になると共に、固定状態が不完全になるのを防ぐことができる。また、開放端面を有する案内部と傾斜する突き当て面との組み合わせという簡易な構造により物体をガタ付きのない状態で固定することができるので、レンズ部材などの高精度の位置決めが要求される物体の固定に適した構造を低コストで提供することができる。
【図面の簡単な説明】
【００２８】
【図１】本発明による固定構造の一実施形態を示す斜視図である。
【図２】図１中の一方の柱体１ａの構成を示す斜視図である。
【図３】物品の移動に伴う柱体１ａの姿勢の変化を模式的に示す図である。
【図４】案内部の変形例および突き当て面の変形例を模式的に示す図である。
【図５】第２の実施形態による固定構造が導入された光電センサの内部構成を示す斜視図である。
【図６】固定対象のレンズ部材の構成を示す斜視図である。
【図７】レンズ部材が取り付けられていない状態のレンズホルダと、レンズ部材が取り付けられた状態のレンズホルダとを対比させて示す斜視図である。
【図８】レンズホルダの一部を破断して、レンズ部材の取り付け状態を示した斜視図である。
【図９】レンズホルダにおける固定構造を拡大して、レンズ部材が取り付けられていない状態と取り付けられた状態とを対比させて示した斜視図である。
【図１０】従来の固定構造の例を示す模式的な断面図である。
【図１１】図１０の固定構造の改良例を示す模式的な断面図である。
【発明を実施するための形態】
【００２９】
図１は、本発明による固定構造の一実施形態を、固定対象の物体ＯＢと共に示す。
この実施例の物体ＯＢは、弾性を有する一対の柱体１ａ，１ｂの間に支持される。各柱体１ａ，１ｂの一面（他方の柱体に対向する面）には、支持台部１１および係止部１２が突出して形成されている。各柱体１ａ，１ｂは、係止部１２を上にして、物体ＯＢの幅長さに応じた間隔を隔てて対向配備される。係止部１２は、柱体本体１０の長さ方向に沿って延びる案内部１２１と、案内部１２１より短い突き当て部１２２とを連結させたものである。物体ＯＢは、上方から柱体１ａ，１ｂの間に挿入され、両端部が、柱体１ａ，１ｂの支持台部１１と係止部１２の突き当て部１２２との間に挟まれた状態で固定される。
なお、以下では、固定対象の物体ＯＢの支持台部１１に支持される面を背面とし、上方向を向く面を前面とする。
【００３０】
図２は、図１の向かって左側に位置する柱体１ａの構成を示す。他方の柱体１ｂは、柱体１ａと線対称の形状となるほかは、柱体１ａと同一の構成を有するので、柱体１ａと同じ符号を適用する。
この実施例の柱体１ａ，１ｂは、柱体本体１０と支持台部１１と係止部１２とが、弾性を有する樹脂または金属により一体に成形されて成るものである。支持台部１１は、柱体に直交する方向に沿う支持面１１１を有するもので、柱体本体１０の全幅にわたって設けられる。柱体本体１０に対する支持面１１１の突出幅は、物体ＯＢの支持が可能な範囲に応じて設定される。
【００３１】
案内部１２１は三角柱の斜面側の一端部を切り欠いた形状のもので、この斜面１２０の柱体本体１０に対する突出幅が支持台部１１に近づくにつれて大きくなるように、切り欠き面１２３を下にして配備される。斜面１２０および切り欠き面１２３が物体ＯＢに接する面となる。また案内部１２１の下端には、支持面１１１の方を向く開放端面１２４が形成されている。開放端面１２４と支持面１１１との間の距離は、物体ＯＢの高さよりやや長く設定されている。
【００３２】
突き当て部１２２も、三角柱の斜面側の一部を切り欠いた形状であるが、三角柱全体に対する切り欠き部分の割合が大きく設定されて、案内部１２１の切り欠き面１２３とほぼ同じ大きさの切り欠き面１２５が形成されている。突き当て部１２２は、この切り欠き面１２５の高さを案内部１２１の切り欠き面１２３に合わせて、斜面１２６を下にして配備される（ただし、柱体本体１０に対する切り欠き面１２５の突出幅は切り欠き面１２３の突出幅より小さくなっている。）。よって、突き当て部１２２の斜面１２６は、案内部１２の下方の位置で、支持台部１１に近づくにつれて柱体本体１０に対する突出幅が小さくなるように傾斜する状態になる。この斜面１２６が、案内部１２１を通過し終えた物体ＯＢの前面側の端縁部に突き当たる突き当て面として機能する。
【００３３】
この実施例における固定対象の物体ＯＢは立方体状であるが、上記の柱体１ａ，１ｂの構成に合わせて、前面側の幅方向に沿って対向する関係にある２つの角部が斜めに切り欠かれている。
【００３４】
図３は、物体ＯＢの移動に伴う柱体１ａの姿勢の変化を模式的に示す。なお、図３では図３（Ａ）のみに符号を示す。また図示されていない他方の柱体１ｂは、柱体１ａとは反対側に変形する。
【００３５】
固定を行う作業者が、柱体１ａ，１ｂの間の空間に物体ＯＢを挿入して図中の下方に向かって押圧すると、物体ＯＢの一部が各柱体１ａ，１ｂの案内部１２の斜面１２０に接する状態になり、各柱体１ａ，１ｂが物体ＯＢにより外側に押圧されて柱体１ａ，１ｂ間の間隔が押し広げられる（図３（Ａ）→図３（Ｂ））。よって、物体ＯＢは、斜面１２０や切り欠き面１２３に接した状態を維持しながら下方に移動するが、物体ＯＢが移動するにつれて案内部１２の突出幅が大きくなるので、それに伴い、柱体１ａ，１ｂの物体ＯＢと反対方向への変位量もしだいに大きくなる。
【００３６】
突き当て部１２２の突き当て面１２６は、案内部１２の終端の開放端面１２４より下に位置すると共に、支持台部１１に近づくにつれて柱体本体１０に対する突出幅が小さくなるように傾斜しているので、物体ＯＢの大半が案内部１２を通過して柱体１ａの変位量が大きくなると、突き当て面１２６やその下方の壁面と物体ＯＢとの間に大きな隙間が生じる（図３（Ｃ））。
【００３７】
物体ＯＢの上端部が案内部１２より下に位置する状態になると、物体ＯＢと案内部１２１との接触が解除されて、柱体１ａ，１ｂは、元の状態に復帰しようとして勢いよく動く。この動きにより、突き当て面１２６と物体ＯＢとの間の隙間が一挙に解消されて、支持台部１１の支持面１１１やその上の壁面が物体ＯＢの背面および側面に接すると共に、突き当て部１２２の突き当て面１２６が物体ＯＢの切り欠き面に突き当てられた状態になる（図３（Ｄ））。よって、物体ＯＢの両端部が柱体１ａ，１ｂの支持台部１１と突き当て部１２２との間に挟み込まれた状態となって、物体ＯＢが固定される。なお、固定後の案内部１２の開放端面１２４は物体ＯＢのやや上に位置する状態となる。
【００３８】
上記のとおり、突き当て面１２６は、案内部１２と物体ＯＢとの接触が解除される直前まで物体ＯＢから大きく離れているが、接触が解除されたときの柱体１ａ，１ｂの素早い復帰によって、物体ＯＢに強く突き当てられる。よって、このとき、振動と共に「パチッ」という音を発生させることができる。
よって、作業者は、柱体１ａ，１ｂの間に物体ＯＢを挿入して、振動および「パチッ」という音が生じるまで物体ＯＢを押し込むことにより、物体ＯＢを正しく固定することができる。
【００３９】
なお、上記の実施例では、案内部１２１の主要部の突出幅が支持台部１１に近づくにつれて大きくなるようにしたが、案内部１２１を突き当て部１２２より十分に大きく突出させたり、柱体１０の弾性を高められるのであれば、図４（１）に示すように、案内部１２１の上端部の突出幅を緩やかに変化させるにとどめて、主要部の突出幅を一定にしてもよい。また、突き当て面１２６は真っ直ぐに傾斜する面に限らず、図４（２）に示すような凸状面にしてもよい。また、物体ＯＢの突き当て面に当接する箇所も切り欠き面に限らず、当接状態が安定できるのであれば、湾曲した面や角状にしてもよい。
【００４０】
また、上記の実施例では、突き当て部１２２の突き当て面１２６が案内部１２１の開放端面１２４よりも支持台部１１に近い場所に配置されるようにしたが、端縁部の切り欠きがない物体や、端縁部が他の箇所より突出した形状の物体を固定する場合には、突き当て面１２６と開放端面１２４とがほぼ同じ高さ位置に配置されるようにしてもよい。また、案内部１２１と突き当て部１２２とを連ねずに、両者の間に若干の隙間を設けてもよい。
【００４１】
また上記の実施例では、柱体本体１０に支持台部１１および係止部１２が一体かつ突出して設けられた柱体１ａ，１ｂを弾性を有する樹脂により形成したが、非弾性体による支持台部１１に、係止部を有する弾性部材を連結した構成としてもよい。また、固定の態様も、一対の柱体１ａ，１ｂによるものに限らず、壁面に物体を片持ち状態で支持する場合にも、上記実施例と同様の固定構造を適用することもできる。
【００４２】
また、前面が開口されたケース体の開口部に対応する大きさの物体をケース体の周壁部の内壁面に固定する場合にも、内壁面の複数箇所に上記構成の支持台部および係止部を設けることにより、物体を安定した姿勢で取り付けることができる。また、支持台部は、周壁部の内壁面の全周にわたって設けてもよい。また、係止部を含む箇所の弾性力を確保できるのであれば、係止部も同様に、内壁面の全周にわたって設けてもよい。
【００４３】
図５は、本発明による固定構造が導入された一例としての光電センサの内部構成を示す。この実施例の光電センサは、投光部および受光部が一体となった反射型のセンサであって、前後が開口された長手形状のケース体２の内部に光学系や基板を支持するホルダ３が組み込まれた構成をとる。ケース体２の前端の開口部は透光性を有するカバーレンズ（図示せず。）により塞がれ、後端の開口部はコネクタを有する蓋体（図示せず。）により塞がれる。
【００４４】
ホルダ３は、前面が開口されたレンズホルダ３０の後方に基板支持部３２が一体に設けられた樹脂成形品であり、弾性を有する樹脂材により成形されている。
レンズホルダ３０の開口部の近傍位置には、一対のレンズ６１，６２を有するレンズ部材６が取り付けられる。基板支持部３２は、ケース体２の底面に沿って延設されており、その上に、投光処理および受光処理に関わる回路パターンが形成された回路基板５が装着される。
【００４５】
なお、図５以下の各図では、レンズホルダ３０の光軸に沿ってＺ軸を設定し、Ｚ軸に直交する平面を構成する２軸のうちのレンズ６１，６２の並び方向に沿う軸をＸ軸とし、他方の軸をＹ軸とする。
【００４６】
図６は、上記光電センサのレンズホルダ３０に組み込まれるレンズ部材６の構成を示す。また図７（Ａ）は、レンズ部材６が取り付けられる前のレンズホルダ３０を前方側から見た状態を示し、図７（Ｂ）はレンズ部材６が取り付けられたレンズホルダ３０を図７（Ａ）と同じ視点から見た状態を示す。
【００４７】
この実施例のレンズ部材６は、一対の幅狭の連結部６４，６５により、２つのレンズ６１，６２を孔部６３を挟んで連結した構成のものである。各連結部６４，６５は、レンズ部材６の長さ方向の全長に沿って各レンズ６１，６２に一体に設けられる。また、連結部６４，６５の前面の外縁部には、それぞれ外向きに傾斜する斜面による切り欠き段部６６が形成されている。また、レンズ部材６の四隅には脚部６７が設けられている。
【００４８】
レンズホルダ３０の内部には、投光窓３４ａおよび受光窓３４ｂを有する遮光板３３を含む内部ホルダ３６が、遮光板３３をＸＹ平面に合わせて配備されている。遮光板３３の中央部には、レンズ部材６の孔部６３に挿入可能な大きさの壁部３１が起立配備されている。この壁部３１によって、レンズホルダ３０内の空間は、投光窓３４ａを含む投光用の導光路と、受光窓３４ｂを含む受光用の導光路とに二分される。
【００４９】
内部ホルダ３６の遮光板３３より後方は開放されており、その開口端面に投光素子および受光素子を支持する基板４（図５を参照。）が装着される。投光素子は投光窓３４ａの背後に位置し、受光素子は受光窓３４ｂの背後に位置する。
【００５０】
上記のレンズ部材６を、孔部６３に壁部３１が入るようにしてレンズホルダ３０の開口部から挿入して押圧すると、レンズ部材６は、各導光路の前端部にそれぞれレンズ６１，６２を臨ませた状態で固定される。
【００５１】
図８では、上記のレンズホルダ３０の右側部を破断し、前端縁を上に向けて内部構造を表す。図９では、レンズホルダ３０の一側縁部の固定構造をさらに拡大し、レンズ部材６を支持していない状態の図（図９（Ａ））と、レンズ部材６を支持している状態の図（図９（Ｂ））とを、上下に並べて示す。
なお。図８および図９では、レンズ部材６の破断面のみにハッチングを入れている。
【００５２】
以下、図６〜図９を参照して、この実施例における固定構造を詳細に説明する。
この実施例のレンズホルダ３０では、その周壁部の前端のＸ軸方向に沿う両側部に、それぞれ開口縁に沿うスリット孔３００，３００が形成されている。レンズホルダ３０は弾性を有する樹脂により成形されるが、特に、スリット孔３００と開口部との間の幅狭部３１０はＹ軸方向に沿って変形しやすい状態になる。以下、この幅狭部３１０をバネ部と呼ぶ。
【００５３】
バネ部３１０は、レンズホルダ３０のＸ軸方向に沿う両側の壁部の前端部分に形成される。各バネ部３１０，３１０には、それぞれ内壁面から突出する一対の係止部３１１，３１１が形成されている。各係止部３１１，３１１は、それぞれ導光路を挟んで対向側の壁面の係止部３１１，３１１に位置合わせされる。
各スリット孔３００，３００の後端縁の厚みに沿う面３０１，３０１は、レンズ部材６を支持するための支持台部として機能する。
【００５４】
各レンズホルダ３０の開口端縁の四隅は前方に突出し、各突出部分にＶ字状の溝３２０が形成されている。これらの溝３２０は、図示しない光学フィルタを支持するためのものである。
【００５５】
図９（Ａ）に示すように、この実施例の係止部３１１の前面部分には、支持台部３０１に近づくにつれてバネ部３１０の本体からの突出幅が増すように傾斜する斜面３１２と、この斜面３１２の後端縁に連なり、バネ部３１０の本体からの突出幅が一定の面３１７とが含まれる。この実施例ではこれらの面３１２，３１７およびバネ部３１０の本体と面３１２，３１７との間の厚み部分が、案内部として機能する。
【００５６】
面３１７の幅方向の半分は支持台部３０１がある後方側に向かって突出しており、その突出部分に外側に向かって傾斜する突き当て面３１３が連ねられている。面３１７の突出していない部分には、支持台部３０１の方を向く開放端面３１４が連なり、突き当て面３１３にも支持台部３０１の方を向く開放端面３１５が連ねられている。この実施例では、係止部３１１の突き当て面３１３および開放端面３１５を含む下端部が、突き当て部として機能する。
【００５７】
突き当て面３１３および開放端面３１４は、通常は、内部ホルダ３６の側壁部３５とケース体３０との間の隙間に対向した状態にある。
同じバネ部３１０に設けられる２つの係止部３１１，３１１は、それぞれ突き当て面３１３，３１３を内向きにした線対称状に設定されている。各突き当て面３１３，３１３に側方で連なる面３１６，３１６の間の距離は、レンズ部材６の連結部６４，６５の切り欠き段部６６の長さに対応する。また、開放端面３１４と支持台部３０１との間の距離は連結部６４，６５の全体の厚みよりやや大きく設定され、突き当て面３１３に連なる開放端面３１５と支持台部３０１との間の距離は、連結部６４，６５の底面から切り欠き段部６６までの厚みに相当する長さに設定されている。
【００５８】
上記の構成において、作業者がレンズホルダ３０の開口部からレンズ部材６を挿入すると、レンズ部材６の両側の連結部６４，６５は各係止部３１１の斜面３１２に接触する。作業者がレンズ部材６を前面側から押圧すると、各係止部３１１にレンズ部材６による外向きの押圧力が加えられ、係止部３１１を含むバネ部３１０の全体が外側に変位する。よって、レンズ部材６は、各連結部６４，６５を各係止部３１１に接触させた状態を維持しつつ、斜面３１２およびその下方の面３１７に案内されて、レンズホルダ３０の奥へと移動する。係止部３１１の突出幅の変化により、レンズ部材６がレンズホルダ３０の奥に移動するにつれてバネ部３１０の変位量が増えるので、面３１２，３１７との接触が解消する直前の連結部６４，６５と突き当て面３１３との間に大きな隙間が生じる。
【００５９】
レンズ部材６の連結部６４，６５の背面が支持台部３０１に到達すると、各支持台部３０１の下方の壁面と内部ホルダ３６の側壁部３５との間の隙間にレンズ部材６の各脚部６７が入り込む（図８を参照。）。これにより、レンズ部材６は、その背面をＸＹ平面に沿わせて支持された状態になる。また、この支持状態が確立するのとほぼ同時に、連結部６４，６５と面３１２，３１７との接触が解除されて各バネ部３１０が復帰の方向に変位し、連結部６４，６５の各切り欠き段部６６，６６に各係止部３１１の突き当て面３１３が突き当たって、レンズ部材６が両側方から押圧される。このとき、各突き当て面３１３の側方の面３１６も、切り欠き段部６６の内壁面６６ａ（図６参照。）に当接した状態になって、突き当て面３１３と連結部６４，６５との当接状態が安定する。よって、各連結部６４，６５は支持台部３０１と係止部３１１との間に挟まれた状態になって、レンズ部材６が固定される。
【００６０】
レンズ部材６と面３１２，３１７との接触が解除されたとき、各バネ部３１０，３１０は、各係止部３１１の突き当て面３１３と連結部６４，６５との隙間が一挙に解消されるように勢いよく移動する。よって、突き当て面３１３およびその隣の面３１６が強い力で連結部６４，６５に突き当たって、振動や「パチッ」という音が生じる。
【００６１】
したがって、作業者は、レンズホルダ３１０の開口部からレンズ部材６を挿入して、振動や「パチッ」という音が生じるまでレンズ部材６を押圧する方法により、レンズ部材６を正しく取り付けることが可能になる。
【００６２】
なお、図６〜図９の例では、一対のレンズ６１，６２が連結された構成のレンズ部材６を固定の対象とすることから、各レンズ６１，６２にそれぞれ２つの係止部３１１を割り当てて、これらをケース体３０の両側の内壁面に対向配備したが、単独のレンズによるレンズ部材を固定する場合には、ケース体の両側の内壁面に１つずつ係止部３１１を配備するにとどめてもよい。ただし、大型のレンズ部材を固定する場合などには、３個以上の係止部３１１を、ケース体の周方向に沿ってバランス良く配置するとよい。
また、図６〜図９に示した固定構造は、レンズ部材に限らず、前面が開口されたケース体の開口部を塞ぐように開口部の近傍に固定される物体全般の固定に適用することができる。
【符号の説明】
【００６３】
ＯＢ  物体
６    レンズ部材
１ａ，１ｂ  柱体
１０  柱体本体
１１  支持台部
１２  係止部
１２０  斜面
１２１  案内部
１２６  突き当て面
３０  レンズホルダ
３００  スリット孔
３０１  支持台部
３１０  バネ部
３１１  係止部
３１２  斜面
３１３  突き当て面
【図１】
0005962235.tif 000002
【図２】
0005962235.tif 000003
【図３】
0005962235.tif 000004
【図４】
0005962235.tif 000005
【図５】
0005962235.tif 000006
【図６】
0005962235.tif 000007
【図７】
0005962235.tif 000008
【図８】
0005962235.tif 000009
【図９】
0005962235.tif 000010
【図１０】
0005962235.tif 000011
【図１１】
0005962235.tif 000012